(57)【要約】【課題】浴室内の空間全体を音響空間として有効利用し、３チャンネル再生方式において鮮度の高い低音が得られる浴室音響装置を提供する。【解決手段】浴室の天井もしくは壁パネルに取り付けられる一対のスピーカと、前記浴室の壁パネルに埋設状態で取り付けられ、壁パネルを振動させることにより低音を再生するアクチュエータと、を備えることを特徴とする。前記アクチュエータは、バスタブの上縁より上方の壁パネルで、その駆動コイル部が壁パネルに設けられた取付穴内に位置するように壁パネルの表側から取り付けられる。【選択図】  図２
2004351038.tif 000002
【特許請求の範囲】
【請求項１】
浴室の天井もしくは壁パネルに取り付けられる一対のスピーカと、前記浴室の壁パネルに埋設状態で取り付けられ、壁パネルを振動させることにより低音を再生するアクチュエータと、を備えることを特徴とする浴室音響装置。
【請求項２】
前記アクチュエータは、バスタブの上縁より上方の壁パネルに取り付けられることを特徴とする請求項１に記載の浴室音響装置。
【請求項３】
前記アクチュエータは、駆動コイル部が壁パネルに設けられた取付穴内に位置するように壁パネルの表側から取り付けられることを特徴とする請求項１に記載の浴室音響装置。
【請求項４】
前記アクチュエータは、表面側がカバーで覆われた状態で壁パネルに取り付けられることを特徴とする請求項１ないし３のいずれかに記載の浴室音響装置。
【請求項５】
前記スピーカは、バスタブの背足方向と直交する方向の両端部の天井パネルもしくは壁パネル上部に取り付けられ、前記アクチュエータは、バスタブの背側もしくは足側の壁パネルに取り付けられることを特徴とする請求項１ないし４のいずれかに記載の浴室音響装置。
【発明の詳細な説明】
【０００１】
【発明の属する技術分野】
本発明は、例えばユニットバスルーム等の浴室の音響装置に係わり、特に、３チャンネル再生方式を維持しつつ音質を大幅に向上させ得る浴室音響装置に関する。
【０００２】
【従来の技術】
従来、浴室における音響装置として、中高音再生用の一対のスピーカと、低音再生用のアクチュエータとを備えた３チャンネル再生方式のものが、例えば特許文献１に提案されている。この音響装置は、中高音再生用の防水性のスピーカを天井パネルもしくは壁パネルに取り付け、低音再生用のアクチュエータをバスタブと対向する壁パネル表面等に取り付けるようにしたものである。
【０００３】
【特許文献１】
特許第３３１４１６２号公報
【０００４】
【発明が解決しようとする課題】
しかしながら、このような音響装置においては、低音再生用のアクチュエータをバスタブの外壁と対向する壁パネル表面等に取り付け、壁パネル表面とバスタブ外壁とで形成される空間を音響空間として利用するため、浴室内に低音を良好に再生できるという利点が得られるものの、低音用の音響空間が比較的狭い空間となり、鮮度が低いこもった低音になり易いという問題点を有している。
【０００５】
本発明は、このような事情に鑑みてなされたもので、その目的は、浴室内の空間全体を音響空間として有効利用し、３チャンネル再生方式において鮮度の高い低音が得られる浴室音響装置を提供することにある。
【０００６】
【課題を解決するための手段】
かかる目的を達成すべく、本発明のうち請求項１に記載の発明は、浴室の天井もしくは壁パネルに取り付けられる一対のスピーカと、前記浴室の壁パネルに埋設状態で取り付けられ、壁パネルを振動させることにより低音を再生するアクチュエータと、を備えることを特徴とする。
【０００７】
このように構成することにより、ＣＤ等に記録されている例えば音楽が再生機器で再生されると、主として中高音が浴室内の天井パネル等に取り付けられた防水性等のスピーカで浴室内に再生され、また低音は、浴室の壁パネルに取り付けられたアクチュエータで壁パネルが振動することで浴室内に再生される。この時、アクチュエータが壁パネルに埋設状態で取り付けられていることから、壁パネルの見栄えの低下を防止しつつ、アクチュエータの振動が広い面積の壁パネルに伝達され、浴室内の略全空間を音響空間として有効利用できて、浴室内に鮮度の高い低音を再生できる。
【０００８】
そして、前記アクチュエータは、請求項２に記載の発明のように、バスタブの上縁より上方の壁パネルに取り付けられることが好ましい。このように構成することにより、低音再生用のアクチュエータが壁パネルの浴槽の上縁より上方に取り付けられることから、アクチュエータを壁パネルの略中央部分等に配置して該壁パネルを効率的に振動させることができ、浴室内に一層良好な音質の低音が再生される。
【０００９】
また、前記アクチュエータは、請求項３に記載の発明のように、駆動コイル部が壁パネルに設けられた取付穴内に位置するように壁パネルの表側から取り付けられることが好ましい。このように構成することにより、浴室内からアクチュエータを取り外してメンテナンスを行うことが可能となる。
【００１０】
また、前記アクチュエータは、請求項４に記載の発明のように、表面側がカバーで覆われた状態で壁パネルに取り付けられることが好ましい。このように構成することにより、アクチュエータがカバーで覆われた状態で壁パネルに取り付けられることから、例えば適宜意匠が付与されたカバーにより、アクチュエータ取付部の意匠的価値の向上が図れる。
【００１１】
また、請求項５に記載の発明のように、前記スピーカが、バスタブの背足方向と直交する方向の両端部の天井パネルもしくは壁パネル上部に取り付けられ、前記アクチュエータが、バスタブの背側もしくは足側の壁パネルに取り付けられることが好ましい。このように構成することにより、スピーカがバスタブの両側でアクチュエータがその間に配置されることから、バスタブに入浴中の入浴者の左右両側から中高音が再生され、その間から低音が再生される状態となり、浴室内に再生される３チャンネル方式の音楽等の音質が一層向上する。
【００１２】
【発明の実施の形態】
以下、本発明の実施の形態を図面に基づいて詳細に説明する。
図１〜図３は、本発明に係わる浴室音響装置の一実施形態を示し、図１が該音響装置を使用した浴室の概略構成図、図２がそのアクチュエータの取付状態の断面図、図３が使用状態を示す図である。
【００１３】
図１において、ユニットバスルーム等の浴室１は、防水パン２と、４枚の壁パネル３ａ〜３ｄ及びドーム型の天井パネル４によって箱状に形成され、前記防水パン２上にはバスタブ５が配置されると共に、バスタブ５の側方に洗い場６が設けられている。また、洗い場６の壁パネル３ｂ側のカウンター７上方には、水栓９、ミラー１０、シャワー１１及び収納棚１２等が一体的に設けられたミラーパネル８が組み付け配置されている。
【００１４】
そして、浴室１には、音響装置１５が設けられている。この音響装置１５は、ドーム型の天井パネル４の側壁４ａ、４ｂに取り付けられたスピーカ１６ａ、１６ｂと、壁パネル３ｄのバスタブ５の上縁５ａ（上面フランジ）より上方に取り付けられたアクチュエータ１７と、スピーカ１６ａ、１６ｂ及びアクチュエータ１７を制御する例えば浴室１の天井パネル４上に配置されたコントロールユニット１８等を備えている。
【００１５】
前記スピーカ１６ａ、１６ｂは、防水性の図示しない振動板を有する一般的なスピーカが使用され、振動板がボイスコイル（図示せず）で振動させられることにより、浴室１内に主として中高音を再生するように構成されている。そして、このスピーカ１６ａ、１６ｂは、バスタブ５の背足方向（天井パネル４の曲線方向）と直交する方向の左右両側となる前記側壁４ａ、４ｂの壁パネル３ｂ側に、図示しない外周縁のフランジをねじ等によって固定することにより取り付けられている。
【００１６】
また、前記アクチュエータ１７は、図２に示すように、駆動コイル部１９と固定板２０及びカバー２１等で構成され、駆動コイル部１９は、ケース２２内に内蔵されたボイスコイルユニット２４及びマグネット２５等を有している。ボイスコイルユニット２４は、ケース２２にダンパー２６を介して嵌挿支持されたセンターポール２７を有し、このセンターポール２７とアウターポール２８間に前記マグネット２５が介装されている。なお、固定板２０はケース２２の外形より所定寸法大きく設定され、アウターポール２８は固定板２０上に設けられたベース２９にサスペンション３０を介して弾性支持されている。
【００１７】
そして、ボイスコイルユニット２４に、該ユニット２４に接続されたコードユニット３１を介して、前記コントロールユニット１８から音楽等の低音信号に応じた交流信号が供給されることにより、ボイスコイルユニット２４で誘起される磁束でマグネット２５及びアウターポール２８等、すなわち駆動コイル部１９が振動し、この振動がサスペンション３０を介してベース２９や固定板２０に伝達されるように構成されている。
【００１８】
このように構成されたアクチュエータ１７は、バスタブ５の通常入浴時に背側（半身浴時に足側）となる壁パネル３ｄに設けられた取付穴３３に埋設状態で取り付けられる。すなわち、壁パネル３ｄにケース２２の外形と略同一形状の取付穴３３を形成し、この取付穴３３に壁パネル３ｄの表側からケース２２を嵌挿し、コードユニット３１を例えば壁パネル３ｄの裏側を配線してコントロールユニット１８に接続すると共に、ケース２２より径大な固定板２０を壁パネル３ｄの内面（浴室１内側）に当接させる。
【００１９】
そして、この状態で固定板２０の固定孔２０ａを利用して木ねじ等で固定板２０を壁パネル３ｄに固定してアクチュエータ１７を壁パネル３ｄに取り付け、このアクチュエータ１７の固定板２０をカバー２１で覆い、例えば図示しない凹凸部を利用したりねじ等により固定する。この時、カバー２１の表面の意匠を壁パネル３ｄの表面と同一に設定することで、カバー２１自体を目立たないようにでき、またカバー２１に壁パネル３ｄとは異なる意匠を施すことで、壁パネル３ｄに意匠上のアクセントを与えることもできる。このカバー２１の取り付けにより、アクチュエータ１７の浴室１の壁パネル３ｄへの設置が完了する。
【００２０】
なお、アクチュエータ１７の取付穴３３への取り付け時に、取付穴３３の内径をケース２２の外形と同一か僅かに小さく形成し、ケース２２を取付穴３３に接着性を有するシール剤（図示せず）を介して押し込むことにより、ケース２２を取付穴３３にシール性を確保しつつ密着状態で取り付ける。この場合、取付穴３３の一部に溝３３ａを設け、この溝３３ａからコードユニット３１を引き出すようにする。また、アクチュエータ１７の壁パネル３ｄへの取り付けに関して、カバー２１は必ずしも必要ではなく、例えばアクチュエータ１７の固定板２０に前述したカバー２１と同等の機能を持たせることで省略することもできる。
【００２１】
前記コントロールユニット１８は、図示しないアンプやトーンコントロール回路等を有し、後述する再生機器３５で再生される音楽等の主として中高音をスピーカ１６ａ、１６ｂを介して浴室１内に所定音量で再生すると共に、音楽等の低音をアクチュエータ１７を介して浴室１内に所定音量で再生するようになっている。
【００２２】
この音響装置１５の使用は、図３に示すように、先ず、前記コントロールユニット１８に接続され脱衣場３６の壁パネルに設けられた入力端子３７に、ＣＤ・ＭＤプレーヤ、カセットデッキ、チューナ等の再生機器３５を接続する。そして、この状態で、浴室１内のリモコン３８が入浴者により操作されると、再生機器３５が自動的に作動して、その音楽がコントロールユニット１８を介しスピーカ１６ａ、１６ｂやアクチュエータ１７によって浴室１内に再生される。
【００２３】
この時、音楽の中高音領域は、主として入浴者の上方に配置された左右のスピーカ１６ａ、１６ｂで明瞭にステレオ再生され、音楽の低音領域は、アクチェエータ１７の振動による比較的大きな面積でかつ所定の硬度を有する壁パネル３ｄの振動によって重量感のある音として再生される。特に、アクチュエータ１７が壁パネル３ｄのバスタブ５の上縁５ａより上方で一対のスピーカ１６ａ、１６ｂの間に埋設状態で取り付けられていることから、壁パネル３ｄの略全体を振動板としかつ浴室１内の略全空間を音響空間とすることができて、浴室１内に鮮度の高い良好な低音が再生されることになる。
【００２４】
このように、上記実施形態の浴室１にあっては、天井パネル４の側壁４ａ、４ｂに主として中高音を再生するスピーカ１６ａ、１６ｂが取り付けられ、壁パネル３ｄに低音再生用のアクチュエータ１７が取り付けられているため、３チャンネル再生方式で浴室１内に音質的に優れた音楽等を再生できる。特に、アクチュエータ１７をバスタブ５の上縁５ａより上方で壁パネル３ｄの略中央位置に埋設状態で取り付けていることから、アクチュエータ１７の振動を広い面積の壁パネル３ｄに良好に伝達しつつ、浴室１内の空間全体を音響空間として有効利用できて、浴室１内に音がこもることのない鮮度の高い低音を再生することができる。
【００２５】
また、アクチュエータ１７が壁パネル３ｄの表側から取り付けられると共に、駆動コイル部１９が壁パネル３ｄに設けられた取付穴３３内に内蔵状態で取り付けられているため、カバー２１や木ねじ等を外すことにより、浴室１内から容易にアクチュエータ１７のメンテナンス等を行うことが可能となると共に、駆動コイル部１９の振動を、壁パネル３ｄ表面に密着する固定板２０に効率的に伝達することができて、壁パネル３ｄをより一層効率的に振動させることができる。
【００２６】
さらに、スピーカ１６ａ、１６ｂをバスタブ５の背足方向と直交する方向の左右両側の天井パネル４に取り付け、アクチュエータ１７をバスタブ５の背側の壁パネル３ｄに取り付けているため、バスタブ５に入浴中の入浴者の左右両側から中高音が再生され、その間から低音が再生される状態となり、浴室１内における音質を一層向上させることができる。これらにより、３チャンネル再生方式を利用しつつ、従来の浴室では得られない音質に優れた低音の再生が可能になり、音楽によるリラクゼーション効果が得られてより一層快適な入浴が可能となる。
【００２７】
また、アクチュエータ１７が壁パネル３ｄに埋設状態で取り付けられているため、アクチュエータ１７が浴室１内から明瞭に視認されることがなくなり、浴室１の壁パネル３ｄの見栄えの低下を防止することができる。特に、アクチュエータ１７の表面側をカバー２１で覆った状態で取り付け、このカバー２１を壁パネル３ｄと同一意匠とすることにより、アクチュエータ１７の取付部分の違和感の解消を図ることができたり、カバー２１自体に積極的に所定の意匠を施すことにより、壁パネル３ｄに意匠上のアクセントを与えることも可能になる。
【００２８】
なお、上記実施形態においては、アクチュエータ１７を壁パネル３ｄに取り付けたが、本発明はこれに限定されず、例えば図１の二点鎖線で示すように、壁パネル３ｂや壁パネル３ａ等に取り付けることもでき、要は浴室１内の空間を音響空間として利用できる壁パネル３ａ〜３ｄの適宜位置に埋設状態で取り付けることができる。また、上記実施形態においては、アクチュエータ１７を壁パネル３ｄの取付穴３３に密着状態で取り付けたが、例えば図２の二点鎖線で示すように、取付穴３３の内径をケース２２の外形より所定寸法大きくして、両者間に隙間３９を形成した状態で取り付けることもできる。
【００２９】
さらに、上記実施形態においては、壁パネル３ｄに内外に貫通する取付穴３３を形成し、この取付穴３３にケース２２を有するアクチュエータ１７を嵌挿状態で取り付けたが、例えば壁パネル３ｄの板厚が比較的厚いかアクチュエータ１７が小型で薄い場合は、壁パネル３ｄの表側に貫通しない取付穴を設け、この取付穴に壁パネル３ｄの表側からアクチュエータ１７を取り付けるようにしても良いし、取付専用の皿状のカバー等を使用して取り付ける等、他の適宜の取付構造を採用することもできる。
【００３０】
また、上記実施形態においては、スピーカ１６ａ、１６ｂをドーム型の天井パネル４の側壁４ａ、４ｂに取り付けたが、平板状の天井パネルの対向位置や壁パネルの対向する上部等に取り付けることも勿論可能である。また、上記実施形態における、アクチュエータ１７の外形形状等の構造、浴室１自体の構造等も一例であって、本発明に係わる各発明の要旨を逸脱しない範囲において適宜に変更することができる。
【００３１】
【発明の効果】
以上詳述したように、請求項１に記載の発明によれば、天井もしくは壁パネルに一対のスピーカが取り付けられ、壁パネルに該壁パネルを振動させて低音を再生するアクチュエータが埋設状態で取り付けられるため、壁パネルの見栄えの低下を防止しつつ、アクチュエータの振動が広い面積の壁パネルに伝達され、浴室全体を音響空間として有効利用できて、浴室内に鮮度の高い低音を再生することができる。
【００３２】
また、請求項２に記載の発明によれば、請求項１に記載の発明の効果に加え、低音再生用のアクチュエータが壁パネルの浴槽の上縁より上方に取り付けられるため、アクチュエータを壁パネルの例えば略中央部分に配置できて、壁パネルを効率的に振動させ、浴室内に一層良好な音質の低音を再生することができる。
【００３３】
また、請求項３に記載の発明によれば、請求項１または２に記載の発明の効果に加え、  アクチュエータの駆動コイル部が壁パネルに設けられた取付穴内に位置するように壁パネルの表側から取り付けられるため、駆動コイル部の振動を効率的に壁パネルに伝達できて、一層良好な音質の低音を再生することができると共に、アクチュエータのメンテナンス等が容易となる。
【００３４】
また、請求項４に記載の発明によれば、請求項１ないし３に記載の発明の効果に加え、アクチュエータがカバーで覆われた状態で壁パネルに取り付けられるため、例えばカバーに適宜意匠を付与することにより、アクチュエータ取付部の意匠的価値を向上させることができる。
【００３５】
また、請求項５に記載の発明によれば、請求項１ないし４に記載の発明の効果に加え、スピーカがバスタブの両側でアクチュエータがその略中央部分に配置されるため、バスタブに入浴中の入浴者の左右両側から中高音が再生され、その間から低音が再生される状態となり、浴室内の音質を一層向上できる等の効果を奏する。
【図面の簡単な説明】
【図１】本発明に係わる浴室音響装置を使用した浴室の概略構成図
【図２】同そのアクチュエータの取付状態の断面図
【図３】同その使用状態を示す図
【符号の説明】
１・・・・・・・・・・浴室
３ａ〜３ｄ・・・・・・壁パネル
４・・・・・・・・・・天井パネル
４ａ、４ｂ・・・・・・側壁
５・・・・・・・・・・バスタブ
５ａ・・・・・・・・・上縁
１５・・・・・・・・・音響装置
１６ａ、１６ｂ・・・・スピーカ
１７・・・・・・・・・アクチュエータ
１８・・・・・・・・・コントロールユニット
１９・・・・・・・・・駆動コイル部
２０・・・・・・・・・固定板
２１・・・・・・・・・カバー
２２・・・・・・・・・ケース
２４・・・・・・・・・ボイスコイルユニット
２５・・・・・・・・・マグネット
３１・・・・・・・・・コードユニット
３３・・・・・・・・・取付穴
３５・・・・・・・・・再生機器
３８・・・・・・・・・リモコン
【図１】
2004351038.tif 000003
【図２】
2004351038.tif 000004
【図３】
2004351038.tif 000005